(57)【要約】      （修正有）【課題】当接部の皮膚のストレスを取り除き、当接部の血行やリンパ液の流れを活溌にし、当接部の皮膚の新陳代謝を促進させ、当接部の皮膚のシワやたるみ解消に役立つ健康器具と美容器具との双方の機能を発揮できる健康・美容器具を提供する。【解決手段】長手方向に伸びる把持部の一方の側に球状体が、一方の側に対向する他方の側に角錐状体が配備されている。球状体は台座受本体に支持されている台座に固定されていて、台座受本体がベアリングを介して把持部の長手方向に伸びる中心軸を回転中心として回転自在に把持部に支持され、把持部の他方の側に支持されている角錐状体受本体に角錐状体の把持部側の基端側が固定され、角錐状体は、角錐状体の基端側から基端側に対向する側の先端側の頂点部分に向けて次第に拡径した後、拡径した最大径部から頂点部分に向けて次第に縮径する先細になっている。【選択図】図１
0003169414.tif 000002
【実用新案登録請求の範囲】
【請求項１】
長手方向に伸びる把持部の一方の側に球状体が、当該一方の側に対向する他方の側に角錐状体が配備されている健康・美容器具であって、
前記球状体は台座受本体に支持されている台座に固定されていて、前記台座受本体がベアリングを介して前記把持部の前記長手方向に伸びる中心軸を回転中心として回転自在に前記把持部に支持され、
前記把持部の前記他方の側に支持されている角錐状体受本体に前記角錐状体の前記把持部側の基端側が固定され、
前記角錐状体は、前記角錐状体の基端側から当該基端側に対向する側の先端側の頂点部分に向けて次第に拡径した後、拡径した最大径部から前記頂点部分に向けて次第に縮径する先細になっている
ことを特徴とする健康・美容器具。
【請求項２】
前記台座の前記一方の側は、前記球状体の球面の曲率に対応する曲率を有する湾曲面に形成されていると共に、当該湾曲面に前記球状体の球面が取り付け、固定されており、
前記角錐状体の前記頂点部分は平坦部に形成されていて、
前記角錐状体の前記一方の側に形成されていて前記角錐状体受本体の側に向かって伸びる円柱状の固定部が、前記角錐状体受本体の前記他方の側に形成されている接合面に穿設されている円柱状の凹部に嵌入されて前記角錐状体受本体に前記角錐状体の前記把持部側の基端側が固定される
ことを特徴とする請求項１記載の健康・美容器具。
【請求項３】
前記球状体は直径が３２ｍｍで、
前記角錐状体は、前記頂点部分から前記角錐状体受本体の前記接合面までの長さが３２ｍｍで、前記最大径部の直径が１６ｍｍである、
ことを特徴とする請求項２記載の健康・美容器具。
【請求項４】
前記球状体をアメジストとし、
前記角錐状体を水晶とする、
ことを特徴とする請求項１乃至３のいずれか一項記載の健康・美容器具。
【請求項５】
前記台座、台座受本体及び角錐状体受本体の材質が純銅であり、
これらの表面が金メッキ処理されている、
ことを特徴とする請求項１乃至４のいずれか一項記載の健康・美容器具。
【考案の詳細な説明】
【技術分野】
【０００１】
この考案は、人体に当接させたり、押し付けることにより、マッサージ効果や、美容効果を発揮する健康器具及び、美容器具に関する。特に、人体に当接させたり、押し付けたりすることによるマッサージ効果などによって、当接部の皮膚のストレスを取り除き、当接部の血行やリンパ液の流れを活溌にし、当接部の皮膚の新陳代謝を促進させ、当接部の皮膚のシワやたるみ解消に役立つ健康器具と美容器具との双方の機能を発揮できる健康・美容器具に関する。
【０００２】
健康増進機能と、
【背景技術】
【０００３】
従来から、肩の“こり”、腰の痛み等を軽減するための器具としては種々原理に基づくものが知られている。最も原始的な器具は、一端側にゴム等の弾性材を設けた棒状の、いわゆる肩叩き棒であり、前記一端側に対向する他端部を把持して肩こり部、患部を叩いて“こり”をほぐすものである。この肩叩き棒は、他端部を把持して患部を上記一端部の弾性部で叩くものであるため長時間の使用は難しく、また患部への打叩は局部的であるためその効果も一時的なものである。
【０００４】
また、モーター駆動に基づく電気マッサージ器具として、椅子の背もたれ部に上下左右に微動する振動当接部を設けたものが広く普及している。
【０００５】
さらに、患部近傍にパッドを貼り付け、このパッドに低周波信号を供給することによって患部筋を収縮させてマッサージ効果を得ようとする低周波マッサージ器具も普及している。
【０００６】
なお、本願に先立ち、電源等が不要で、極めて簡単な構成で人体の“つぼ”位置の正確な探知を可能にすると共に、マッサージ効果を最大化するようにした携帯性に優れた健康・美容器具が提案されている（特許文献１）。
【０００７】
前記肩叩き棒は、概略患部位置を定め、当該位置を単に繰り返し叩くだけであるため、物理的、機械的な叩きマッサージ効果しか得られず、人体のいわゆる“つぼ”を認識した効率的なマッサージ効果は得られない。また、ある程度のマッサージ効果を得ようとすると、長時間、連続的な叩き動作が必要となるため、逆に疲労を感じてしまうこともある。
【０００８】
また、上述のモーター駆動による患部当接部の振動は、上記肩叩き棒の後者の欠点、つまり、長時間動作による疲れ等の問題は生じないが、当接部の患部に対応する位置への移動を正確に行うことができず、更にその振動も単純運動であるため、通常は上下動しか行えず、人体の“つぼ”に対応した患部のマッサージ運動は望むべくもない。加えて、大型且つ電動器具であるため携帯性の面で大きな問題となる。
【０００９】
更に、前記低周波マッサージ器具は、比較的小型で携帯性の面では改善されているものの、やはり、低周波信号供給のための電源、電気回路が必要となるため、構成が複雑で、装置価格も高くならざるを得ない。
【００１０】
以上の器具は、例えばマッサージ効果を最大化せしめるための人体の“つぼ”に関しては使用者の感により、概略“つぼ”位置を定め、当該“つぼ”位置に器具の当接部を位置させるようにしているため、効率的なマッサージ効果が得られない。
【００１１】
なお、特許文献１記載の発明によれば、電源等の電気回路が不要で、きわめて簡単な構成でマッサージ効果を最大化するようにした携帯性抜群の健康・美容器具を提供することができるが、健康の増進と、美容効果の増大を更に発揮させる上で改善すべき余地があった。
【先行技術文献】
【特許文献】
【００１２】
【特許文献１】特開平６−３１９８１９号公報
【考案の概要】
【考案が解決しようとする課題】
【００１３】
そこで、本考案は、人体に当接させたり、押し付けたりすることによるマッサージ効果などによって、当接部の皮膚のストレスを取り除き、当接部の血行やリンパ液の流れを活溌にし、当接部の皮膚の新陳代謝を促進させ、当接部の皮膚のシワやたるみ解消に役立つ健康器具と美容器具との双方の機能を発揮できる健康・美容器具を提案することを目的にしている。
【課題を解決するための手段】
【００１４】
請求項１記載の考案は、
長手方向に伸びる把持部の一方の側に球状体が、当該一方の側に対向する他方の側に角錐状体が配備されている健康・美容器具であって、
前記球状体は台座受本体に支持されている台座に固定されていて、前記台座受本体がベアリングを介して前記把持部の前記長手方向に伸びる中心軸を回転中心として回転自在に前記把持部に支持され、
前記把持部の前記他方の側に支持されている角錐状体受本体に前記角錐状体の前記把持部側の基端側が固定され、
前記角錐状体は、前記角錐状体の基端側から当該基端側に対向する側の先端側の頂点部分に向けて次第に拡径した後、拡径した最大径部から前記頂点部分に向けて次第に縮径する先細になっている
ことを特徴とする健康・美容器具
である。
【００１５】
請求項２記載の考案は、
前記台座の前記一方の側は、前記球状体の球面の曲率に対応する曲率を有する湾曲面に形成されていると共に、当該湾曲面に前記球状体の球面が取り付け、固定されており、
前記角錐状体の前記頂点部分は平坦部に形成されていて、
前記角錐状体の前記一方の側に形成されていて前記角錐状体受本体の側に向かって伸びる円柱状の固定部が、前記角錐状体受本体の前記他方の側に形成されている接合面に穿設されている円柱状の凹部に嵌入されて前記角錐状体受本体に前記角錐状体の前記把持部側の基端側が固定される
ことを特徴とする請求項１記載の健康・美容器具
である。
【００１６】
請求項３記載の考案、
前記球状体は直径が３２ｍｍで、
前記角錐状体は、前記頂点部分から前記角錐状体受本体の前記接合面までの長さが３２ｍｍで、前記最大径部の直径が１６ｍｍである、
ことを特徴とする請求項２記載の健康・美容器具
である。
【００１７】
請求項４記載の考案は、
前記球状体をアメジストとし、
前記角錐状体を水晶とする、
ことを特徴とする請求項１乃至３のいずれか一項記載の健康・美容器具
である。
【００１８】
請求項５記載の考案は、
前記台座、台座受本体及び角錐状体受本体の材質が純銅であり、
これらの表面が金メッキ処理されている、
ことを特徴とする請求項１乃至４のいずれか一項記載の健康・美容器具
である。
【考案の効果】
【００１９】
本考案によれば、人体に当接させたり、押し付けたりすることによるマッサージ効果などによって、当接部の皮膚のストレスを取り除き、当接部の血行やリンパ液の流れを活溌にし、当接部の皮膚の新陳代謝を促進させ、当接部の皮膚のシワやたるみ解消に役立つ健康器具と美容器具との双方の機能を発揮できる健康・美容器具を提供することができる。
【図面の簡単な説明】
【００２０】
【図１】本考案の健康・美容器具の正面図。
【図２】本考案の健康・美容器具を構成する把持部を表す図であって、（ａ）は左側面図、（ｂ）は断面図、（ｃ）は右側面図。
【図３】本考案の健康・美容器具を分解して構成部材の概略を示した図。
【図４】（ａ）は台座の断面図、（ｂ）は台座受本体の断面図、（ｃ）はベアリング固定ネシの側面図、（ｄ）は角錐状体の斜視図、（ｅ）は角錐状体の底面図、（ｆ）は角錐状体受本体の断面図、（ｇ）は角錐状体受本体の平面図。
【図５】本考案の健康・美容器具の使用例を示すものであり、（ａ）は顔全体に使用する図、（ｂ）は腹部に使用する図、（ｃ）は手足に使用する図、（ｄ）は足の裏側に使用する図。
【図６】本考案の健康・美容器具の他の使用例を示すものであり、（ａ）は後頭部・首をマッサージする図、（ｂ）は肩をマッサージする図。
【考案を実施するための形態】
【００２１】
本考案の実施形態について図１〜４に基づいて説明する。
【００２２】
本考案の健康・美容器具１は、長手方向（図１において矢印Ｘで示す方向）に伸びる把持部５の一方の側（図１中、左側）に球状体２が、当該一方の側に対向する他方の側（図１中、右側）に角錐状体６が配備されているものである。
【００２３】
球状体２は台座受本体４に支持されている台座３に固定されている。台座受本体４はベアリング１１を介して把持部５の長手方向に伸びる中心軸を回転中心として、図１に矢印１０ａ、１０ｂで示すように、回転自在に把持部５に支持されている。
【００２４】
把持部５の他方の側（図１中、右側）に支持されている角錐状体受本体７に角錐状体６の把持部５側の基端側が固定されている。
【００２５】
角錐状体６は、図１、図４（ｄ）に示すように、その基端側（図１中、左側）から基端側に対向する側（図１中、右側）の先端の頂点部分に向けて次第に拡径した後、拡径した最大径部６ｄから頂点部分６ｂに向けて次第に縮径する先細になっている。なお、角錐状体６の頂点部分６ｂは平坦部に形成されている（図３）。
【００２６】
球状体２は、紫水晶、いわゆる天然のアメジストを、直径３２ｍｍの球体に加工したものを採用している。
【００２７】
台座３は、球状体２を固定するためのものである。台座３の図１中、左側は、球状体２の球面の曲率に対応する曲率を有する湾曲面３ａに形成されている（図４（ａ））。本実施形態では、天然のアメジスト（紫水晶）からなる球状体２が直径３２ｍｍの球体であるので、円筒形状の台座部３の湾曲面３ａは、この直径３２ｍｍの球体に当接する湾曲面になっている。この湾曲面３ａに球状体２の球面が取り付け、固定される。例えば、接着剤などを介して、球状体２の球面が湾曲面３ａに取り付け、固定される。
【００２８】
台座受本体４は、台座３と把持部５とを連結するためのもので、内側に所定深さの台座収容部４ａ及び雌ねじ部４ｂが形成されている。この雌ねじ部４ｂに台座３に形成された雄ねじ部３ｂを螺合させ、台座３を台座収容部４ａに収容、固定する。このとき、台座受本体４の上端内周縁は球状体２の球面と接触するため、座受本体４の上端内周縁は湾曲面３ａと同じく湾曲している湾曲面４ｃになっている（図４（ｂ））。
【００２９】
台座収容部４ａが形成されている側の反対側にはベアリング収容部４ｄ、４ｄが形成され、それぞれにベアリング１１、１１が収容されている（図４ｂ）。
【００３０】
さらに、ベアリング収容部４ｄには、ベアリング固定ねじ９が挿通する挿通孔（非図示）が形成されている。
【００３１】
本実施形態では、円筒形状の台座受本体４の内側に形成されたベアリング収容部４ｄ、４ｄにそれぞれベアリング１１、１１を収容させ、ベアリング収容部４ｄの挿通孔にベアリング固定ねじ９を挿通させる。その後、図３に示すように、ボルト８でベアリング固定ねじ９を固定する。
【００３２】
そして、雌ねじ部４ｂに台座３に形成された雄ねじ部３ｂを螺合させると共に、台座３を台座収容部４ａに収容させて、台座３が台座受本体４に支持される。
【００３３】
把持部５の図１中、左側端には、所定深さの台座受本体収容部５ａ、ボルト受部５ｂ及び雌ねじ部５ｃが形成されている（図２（ｂ））。
【００３４】
雌ねじ部５ｃにベアリング固定ねじ９を螺合させると、ボルト８はボルト受部５ｂに、台座受本体４は台座受本体収容部５ａにそれぞれ収容される（図２（ｂ））。
【００３５】
本実施形態では、合成樹脂製で円筒形状の把持部５の端部に形成された雌ねじ部５ｃにベアリング固定ねじ９を螺合させると共に、ボルト８をボルト受部５ｂに、台座受本体４を台座受本体収容部５ａにそれぞれ収容させて、台座受本体４が把持部５の一側に支持される。
【００３６】
ベアリング１１、１１がベアリング収容部４ｄ、４ｄに収容されていることで、台座受本体４がベアリング１１を介して、把持部５の長手方向に伸びる中心軸を回転中心として、図１に矢印１０ａ、１０ｂで示すように、回転自在に把持部５に支持される。
【００３７】
前記のとおり、台座受本体４は把持部５の長手方向に伸びる中心軸を回転中心として、図１に矢印１０ａ、１０ｂで示すように回転自在なので、台座受本体４に支持されている台座３及びアメジストからなる球状体２も把持部５の長手方向に伸びる中心軸を回転中心として図１に矢印１０ａ、１０ｂで示すように回転自在となる。
【００３８】
角錐状体６は、六角柱状の天然水晶の一方側を最大径部６ｄから次第に先細になる六角錐状体６ａ、他方側を、最大径部６ｄに向けて次第に拡径する六角柱部６ｃとしたものである（図４（ｄ）。
【００３９】
この天然水晶からなる角錐状体６の一方の側（図１中、左側）には、角錐状体受本体７の側に向かって伸びる円柱状の固定部６ｅが形成されている（図４（ｄ）、（ｅ））。この円柱状の固定部６ｅが角錐状体受本体７の図１中、右側の面に形成されている接合面７ａに穿設されている円柱状の凹部７ｂに嵌入されて角錐状体受本体７に角錐状体６の把持部５側の基端側が固定される。
【００４０】
また、六角錐状体６ａの先端側は平坦部６ｂになっている。皮膚が傷つけられるのを防止するためである。
【００４１】
水晶からなる角錐状体６は、最大径部６ｄの径Ｗが１６ｍｍ、角錐状体受本体７の接合面７ａから六角錐状体６ａの平坦部６ｂまでの長さＨが、アメジストからなる球状体２の径と同一の３２ｍｍに形成されている。
【００４２】
角錐状体受本体７の把持部５側には、角錐状体受本体７把持部５に取り付けるための雄ねじ１２が固定されている（図３、図４（ｆ））。
【００４３】
角錐状体受本体７を把持部５の他側に取り付けるため、把持部５の他側の内部には、雌ねじ部５ｄが形成されている（図２（ｂ））。この雌ねじ部５ｄに雄ねじ１２を螺合させると、角錐状体受本体７は把持部５の他側に支持される。
【００４４】
台座３、台座受本体４、角錐状体受本体７は、いずれも純銅で成形され、その表面に金メッキ処理が施されている。
【実施例】
【００４５】
本考案の実施例について、図５、図６に基づいて説明する。
【００４６】
アメジストからなる球状体２は台座受本体４と共に、把持部５の長手方向に伸びる中心軸を回転中心として、図１に矢印１０ａ、１０ｂで示すように回転自在なので、球状体２の回転に伴うローリングマッサージ効果及び球状体２の患部への押圧によるマッサージ効果等を得ることができる。
【００４７】
すなわち、アメジスト製の球状体２を人体の患部に当接して、把持部５を手で持って患部上を動かすと、球状体２が回転し、患部へのローリングマッサージ効果が得られる。このとき、患部との当接部は球状体２であるため、マッサージ効果がより効果的なものとなる。
【００４８】
また、把持部５を手で持ち、アメジスト製の球状体２を人体患部に当てて軸方向Ｘに向かって力を加えると、患部を球状部で押圧することになり押圧マッサージ効果が得られる。このときの皮膚等の患部との当接部はアメジスト製の球状体２であるため、マッサージで効果はより著しいものとなる。
【００４９】
アメジスト製の球状体２のローリングおよび押圧マッサージ効果は、人体の“つぼ”部分を患部として特定できれば、更に一段と大きくなる。
【００５０】
本考案の健康・美容器具１では、人体の“つぼ”を探索、探知することが可能である。水晶製の角錐状体６の先端側は平坦部６ｂであるが、最大径部６ｄから先端に向かって先細になっているので、先端部を患部近傍に当てて押圧する際、“つぼ”部分が押圧されたとき特有の痛みが伴う。そこで、その部分を“つぼ”として探知できる。この“つぼ”部にアメジスト製の球状体２を当接して、マッサージ（ローリング、押圧）を行えば、格段のマッサージ効果だけでなく、鍼、指圧効果が得られる。
【００５１】
角錐状体６の先端で“つぼ”が探知できれば当該“つぼ部”をそのまま水晶製の角錐状体６の先端で所定の圧力で押圧すれば鍼療法と同様な効果を得ることもできる。この場合、六角錐状体６ａの先端側は平坦部６ｂになっているので、皮膚が傷つけられるおそれはない。
【００５２】
図５（ａ）は健康・美容器具１を使用して、顔全体にローリングマッサージをする場合を説明するものである。この場合、筋肉の流れである矢示の方向に沿って、球状体２をローリングさせる。
【００５３】
健康・美容器具１を用いて、顔全体にローリングマッサージすることにより、顔全体のストレスを取り除き、皮膚の血行やリンパ液の流れを活溌にする効果が得られる。また、皮膚の新陳代謝を促進させ、皮膚のシワやたるみを解消することができる。
【００５４】
図５（ｂ）は健康・美容器具１を使用して、腹部にローリングマッサージ及び押圧する場合を説明するものである。ローリングマッサージをする場合、矢示の方向に沿って球状体２をローリングさせ、押圧する場合、図示の箇所を角錐状体６で押圧する。
【００５５】
図５（ｃ）は健康・美容器具１を使用して、手足にローリングマッサージをする場合を説明するものである。この場合、図示のように球状体２をローリングさせる。
【００５６】
図５（ｄ）は健康・美容器具１を使用して、足の裏側を押圧する場合を説明するものである。この場合、図示の箇所を角錐状体６で押圧する。
【００５７】
図６は、健康・美容器具１を使用して、後頭部、首及び肩にローリングマッサージ及び押圧する場合を説明するものである。後頭部・首をマッサージする場合（図６（ａ））、後頭部から首の後ろ、肩への流れに沿って球状体２をローリングさせる。次に、肩をマッサージする場合（図６（ｂ））、コリのある部分を確かめ、当該部分に角錐状体６で押圧する。なお、コリが軽い場合は、前記コリのある部分の周りを球状体２でローリングしてもよい。
【００５８】
以上のように、本考案の健康・美容器具１によれば、アメジスト製の球状体２によるローリング、押圧によるマッサージ効果、更には、水晶製の角錐状体６による“つぼ”探索、その先端部押圧による鍼、指圧効果等がそれぞれ相乗的に作用するので、マッサージ効果は格段に向上する。特に、アメジスト製の球状体２は、球状であるため、ローリング、押圧時に患部との当接部が包み込むような形状となり、効果の増進が図れる。
【００５９】
以上、添付図面を参照して本考案の好ましい実施形態を説明したが、本考案はかかる実施形態、実施例に限定されるものではなく、実用新案登録請求の範囲の記載から把握される技術的範囲において種々に変更可能である。
【符号の説明】
【００６０】
１  健康・美容器具
２  球状体
３  台座
３ａ  湾曲部
３ｂ  雄ねじ部
４  台座受本体
４ａ  台座収容部
４ｂ  雌ねじ部
４ｃ  湾曲部
４ｄ  ベアリング収容部
５  把持部
５ａ  台座受本体収容部
５ｂ  ボルト受部
５ｃ、５ｄ  雌ねじ部
６  角錐状体
６ａ  角錐状体
６ｂ  平坦部
６ｃ  円柱状体
７  角錐状体受本体
７ａ  角錐状体収容部
７ｂ  挿通孔
８  ボルト
９  ベアリング固定ねじ
１１  ベアリング
１２  雄ねじ
【図１】
0003169414.tif 000003
【図２】
0003169414.tif 000004
【図３】
0003169414.tif 000005
【図４】
0003169414.tif 000006
【図５】
0003169414.tif 000007
【図６】
0003169414.tif 000008